(57)【特許請求の範囲】
【請求項１】
既存の柱（１２）に新規の柱（１３）を取り付けて改装された門柱改装構造において、中空状の前記既存の柱（１２）の間口側の取り付け面（１６）と、該既存の柱（１２）の外周に套嵌された前記新規の柱（１３）の前記取り付け面（１６）に対向する対向面との間に、上下方向の取り付けレール（１４）を前記間口の内外方向に一対備え、該各取り付けレール（１４）は上下方向のレール部（１７）と、該レール部（１７）の前記間口の内外方向の一側に一体に形成され且つ上下方向に複数個の固定手段（２０）を介して前記取り付け面（１６）に固定された上下方向の取り付け部（１８）とを有し、前記固定手段（２０）は前記取り付け面（１６）側から前記既存の柱（１２）内に挿入されたナット体（２６）と、前記取り付け部（１８）側から前記取り付け面（１６）を貫通して前記ナット体（２６）に螺合するネジ（２２）とを備え、前記レール部（１７）に上下摺動自在に係合する係合体（１５）と、前記新規の柱（１３）の前記対向面を貫通して前記係合体（１５）に螺合するネジ（４０）とを介して前記新規の柱（１３）を前記各取り付けレール（１４）に固定したことを特徴とする門柱改装構造。
【請求項２】
前記新規の柱（１３）は前記既存の柱（１２）に対して間口側から外嵌する前パネル（３３）と、前記既存の柱（１２）に対して該前パネル（３３）と反対側から外嵌し且つ両端部が前記前パネル（３３）の両端部と重合する後パネル（３４）とを備え、前記前パネル（３３）を前記各取り付けレール（１４）を介して前記既存の柱（１２）に固定したことを特徴とする請求項１に記載の門柱改装構造。
【請求項３】
前記レール部（１７）又は前記取り付け部（１８）を前記既存の柱（１２）の間口内外方向の中央側にして、前記両取り付けレール（１４）を逆向きに配置したことを特徴とする請求項１又は２に記載の門柱改装構造。
【請求項４】
前記レール部（１７）を前記既存の柱（１２）の間口内外方向の内側又は外側にして、前記両取り付けレール（１４）を同じ向きに配置したことを特徴とする請求項１又は２に記載の門柱改装構造。
【発明の詳細な説明】
【技術分野】
【０００１】
本発明は、伸縮門扉、引き戸等の門柱を改装する際の門柱改装構造に関するものである。
【背景技術】
【０００２】
門扉には、例えば左右一対の扉体をヒンジ廻りに観音開き式に開閉する開閉門扉、パンタグラフ式の扉体を左右方向に伸縮させて開閉する伸縮門扉等、各種のものがある。これらの門扉を設置する場合に、間口の左右両側に配置される門柱の下端部を直接地中に埋め込んでコンクリートで固めて固定する。このため新しい門扉に交換するに際しては、その左右の門柱の処理が問題となる。
【０００３】
そこで、従来から開閉門扉等において、既存の柱をそのまま利用して新規の柱を取り付ける方法が採られている（特許文献１、２）。例えば、既存の柱の側面に上下方向に所定の間隔を置いて複数個の連結部材を固定しておき、次に既存の柱の外側に角筒状の新規の柱を套嵌した後、その隣り合う二つの側壁を各連結部材に当接させて固定することにより、既存の柱に新規の柱を取り付けている。
【特許文献１】実開昭５９−１０４９９１号公報
【特許文献２】実開昭５９−１０６９９６号公報
【発明の開示】
【発明が解決しようとする課題】
【０００４】
従来は既存の柱に複数個の連結部材を固定しておき、既存の柱の外側に套嵌した新規の柱の側壁を各連結部材に当接させて、新規の柱の側壁をネジ等で各連結部材に固定している。このため既存の柱を利用して新規の柱を取り付けてはいるものの、新規の柱の取り付けが容易ではなく、門柱の改装に時間を要するという欠点がある。
【０００５】
また新規の柱の隣り合う二つの側壁を各連結部材に当接させて固定するため、既存の柱に対する新規の柱の相対位置関係が、既存の柱側の連結部材と新規の柱側の隣り合う二つの側壁とにによって画一的に決定されることになる。このため既存の柱の近傍に塀、その他の障害物がある場合には、その条件に対応できる形状、構造の新規の柱しか使用できない等の欠点があり、既存の柱の種類、施工現場の条件等に応じて多種類のものを準備する必要がある。
【０００６】
本発明は、このような従来の問題点に鑑み、既存の柱を利用して新規の柱を容易に取り付けることができると共に、少ない種類数で施工現場の各種の条件、多種類の既存の柱の改装にも容易に対応できる門柱改装構造を提供することを目的とする。
【課題を解決するための手段】
【０００７】
本発明は、既存の柱１２に新規の柱１３を取り付けて改装された門柱改装構造において、中空状の前記既存の柱１２の間口側の取り付け面１６と、該既存の柱１２の外周に套嵌された前記新規の柱１３の前記取り付け面１６に対向する対向面との間に、上下方向の取り付けレール１４を前記間口の内外方向に一対備え、該各取り付けレール１４は上下方向のレール部１７と、該レール部１７の前記間口の内外方向の一側に一体に形成され且つ上下方向に複数個の固定手段２０を介して前記取り付け面１６に固定された上下方向の取り付け部１８とを有し、前記固定手段２０は前記取り付け面１６側から前記既存の柱１２内に挿入されたナット体２６と、前記取り付け部１８側から前記取り付け面１６を貫通して前記ナット体２６に螺合するネジ２２とを備え、前記レール部１７に上下摺動自在に係合する係合体１５と、前記新規の柱１３の前記対向面を貫通して前記係合体１５に螺合するネジ４０とを介して前記新規の柱１３を前記各取り付けレール１４に固定したものである。
【０００８】
前記新規の柱１３は前記既存の柱１２に対して間口側から外嵌する前パネル３３と、前記既存の柱１２に対して該前パネル３３と反対側から外嵌し且つ両端部が前記前パネル３３の両端部と重合する後パネル３４とを備え、前記前パネル３３を前記各取り付けレール１４を介して前記既存の柱１２に固定したものでもよい。
【０００９】
前記レール部１７又は前記取り付け部１８を前記既存の柱１２の間口内外方向の中央側にして、前記両取り付けレール１４を逆向きに配置してもよい。前記レール部１７を前記既存の柱１２の間口内外方向の内側又は外側にして、前記両取り付けレール１４を同じ向きに配置してもよい。
【発明の効果】
【００１０】
本発明では、既存の柱１２を利用して新規の柱１３を容易に取り付けることができると共に、少ない種類数で施工現場の各種の条件、多種類の既存の柱の改装にも容易に対応できる利点がある。
【発明を実施するための最良の形態】
【００１１】
以下、本発明の各実施例を図面に基づいて詳述する。図１〜図１０は本発明を伸縮門扉に採用した場合の第１の実施例を例示する。この伸縮門扉は、図１に示すように、間口の左右両側で地面Ｇに立設された吊り元柱１及び戸当たり柱２と、その両者間に間口方向（左右方向）に伸縮自在に配置された伸縮扉体３とを備えている。なお、吊り元柱１、戸当たり柱２は門柱の一例である。
【００１２】
伸縮扉体３は、多数の斜架材４を交差状に組み合わせて間口方向に伸縮自在に構成されたパンタグラフ機構５と、パンタグラフ機構５に間口方向に所定の間隔を置いて連結された複数個の縦枠材６と、パンタグラフ機構５の両端に連結された吊り元側端枠７及び戸当たり側端枠８と、吊り元側端枠７及び中間の縦枠材６の下端に設けられた走行用自在車輪９とを備えている。
【００１３】
そして、吊り元側端枠７は、収縮状態の伸縮扉体３を収縮位置ａから回転収納位置ｂへと回転収納できるようにヒンジ１０により吊り元柱１に回動自在に枢着され（図１（Ｂ）参照）、また戸当たり側端枠８と戸当たり柱２との間には、伸縮扉体３を伸長させて間口を閉じた状態で施錠する施錠手段１１が設けられている。
【００１４】
吊り元柱１及び戸当たり柱２は、共に既存の柱１２の外側に新規の柱１３を取り付けて改装されたもので、その改装構造は次のとおりである。即ち、吊り元柱１及び戸当たり柱２は、図２及び図３に示すように、既存の柱１２と、この既存の柱１２を覆うようにその外周に套嵌された新規の柱１３とを有し、新規の柱１３が上下方向の取り付けレール１４と、この取り付けレール１４に上下方向に摺動自在に係合する係合体１５とを介して既存の柱１２に取り付けられている。
【００１５】
既存の柱１２は、図４及び図５に示すように、間口の内外方向（以下、これを間口内外方向といい、既存の柱１２、新規の柱１３の幅方向と同義である。）の幅に比して間口方向の厚さが小さい偏平な筒状であり、その下端部を地面Ｇに埋設することにより地上に略鉛直に立設されている。既存の柱１２はその間口側の幅方向の中央部分が平坦面となっており、この平坦面をレール取り付け面１６として、そこに既存の柱１２の幅方向に一対の取り付けレール１４が略対称に固定されている。
【００１６】
取り付けレール１４は図４及び図５に示すように、断面Ｕ字状のレール部１７と、このレール部１７の基部側から幅方向の一方側に突出する板状の取り付け部１８とを一体に備え、レール部１７と取り付け部１８とが幅方向に偏心して配置された構成となっている。なお、レール部１７と取り付け部１８は、その背面側が既存の柱１２のレール取り付け面１６に合わせて平坦面となっている。各レール部１７の内部には、一対の係合溝１９が相対向して形成されている。
【００１７】
そして、一対の取り付けレール１４は、その取り付け部１８が既存の柱１２の幅方向の中央側となり、レール部１７が外側となるように逆向きに配置され、且つ取り付け部１８の端縁同士が近接又は当接した状態で、上下両端側の２箇所の取り付け位置で固定手段２０により、既存の柱１２のレール取り付け面１６に着脱自在に固定されている。なお、取り付けレール１４の上端は既存の柱１２よりも上側に若干突出し、また下端が既存の柱１２の地面Ｇ側に近接している。
【００１８】
固定手段２０は、図６（Ａ）〜（Ｃ）に示すように、例えばターンナット２１とネジ２２とにより構成され、取り付けレール１４をその間口側から既存の柱１２に容易に固定可能である。ターンナット２１は既存の柱１２の取り付け孔２３に挿入可能な保持具２４と、この保持具２４に軸部２５を介して枢支され且つ取り付け孔２３に挿入される挿入姿勢（図６（Ｂ）参照）からレール取り付け面１６と平行な螺合姿勢へと略９０度回動するナット体２６と、ナット体２６に形成され且つ螺合姿勢のときに取り付け部１８の取り付け孔２７から挿入されたネジ２２が螺合する雌ネジ孔２８と、ナット体２６に形成され且つ保持具２４側から挿入されたネジ２２の操作によりナット体２６を軸部２５廻りに挿入姿勢から螺合姿勢へと回動させるための操作面２９とを有する。ネジ２２は取り付け部１８の取り付け孔２７から既存の柱１２側のナット体２６の雌ネジ孔２８に螺合され、そのナット体２６との間で取り付けレール１４の取り付け部１８を既存の柱１２に締結している。
【００１９】
新規の柱１３は間口内外方向の幅に比して間口方向の厚さが小さい偏平な角筒状であって、図２〜図４に示すように、既存の柱１２に間口側から外嵌する前パネル３３と、既存の柱１２に対して前パネル３３と反対側から外嵌する後パネル３４とを備えている。前パネル３３、後パネル３４は、その幅方向の両端から相手側へと略直角に屈曲する前屈曲部３５、後屈曲部３６を有する断面コ字状に構成されている。
【００２０】
前パネル３３は取り付けレール１４、係合体１５を介して既存の柱１２の間口側に固定されている。また後パネル３４は既存の柱１２に間口と反対側から当接されると共に、その両端部である後屈曲部３６が前パネル３３の両端部である前屈曲部３５の外側に重合されており、後屈曲部３６の前端側で両屈曲部３５，３６に挿通されたネジ３７により前パネル３３に固定されている。なお、ネジ３７は上下方向に所定の間隔をおいて複数箇所（２箇所）に設けられている。
【００２１】
前パネル３３には、図４及び図５に示すように、各取り付けレール１４に対応してそのレール部１７に摺動自在に係合する係合体１５が上下方向に所定間隔を置いて複数個、例えば上部側及び下部側に２個設けられている。係合体１５はレール部１７の係合溝１９に上下方向に摺動自在に係合する係合部３８を有するウエルディングナット等の係合ナット３９を有し、この係合ナット３９に前パネル３３側から挿入されたネジ４０が螺合している。
【００２２】
従って、係合体１５は係合ナット３９が前パネル３３に仮止めされた状態で取り付けレール１４のレール部１７内を摺動自在であり、その係合ナット３９をネジ４０で前パネル３３側に締め付けることにより、前パネル３３と取り付けレール１４とを固定可能である。
【００２３】
前パネル３３の間口側には、その幅方向の両側に上下方向の突出部４１が一体に形成されている。この突出部４１は各取り付けレール１４のレール部１７の外側近傍にあり、その間隔は伸縮扉体３の吊り元側端枠７、戸当たり側端枠８の幅と略一致している。
【００２４】
前パネル３３、後パネル３４の上端は、既存の柱１２よりも上側に突出して略同一高さとなっている。前パネル３３の上端には、一対の突出部４１の上端側を含む前パネル３３の上端側の全体を覆う凸形状の前上部カバー４２がタッピングネジ等のネジ４３により着脱自在に固定されている。ネジ４３は各突出部４１の基部側のビスホール４５に螺合されている。また後パネル３４の上端には、前上部カバー４２の一部を上側から覆う後上部カバー４６がドリルネジ等のネジ４７，４８により着脱自在に固定されている。後上部カバー４６は、その前端縁が上側からのネジ４７により前上部カバー４２に固定され、また幅方向の両端部が幅方向の外側からのネジ４８により各屈曲部３５，３６に固定されている。ネジ４８はなくてもよい。
【００２５】
施錠手段１１は、図２に示すように、施錠受け具４９と、この施錠受け具４９に係脱自在に係合する施錠掛け具５０とを備えている。施錠受け具４９は吊り元柱１側の突出部４１に一対のブラケット５１を介して固定されている。施錠掛け具５０は戸当たり側端枠８に挿通された操作軸５２に固定され、また操作軸５２は両端に解除用の操作レバー５３を有する。なお、吊り元側端枠７側には、施錠掛け具５０が施錠受け具４９と一致するように、吊り元柱１側の一対の突出部４１に当接して案内する案内具５４が設けられている。
【００２６】
ヒンジ１０は、図２に示すように、吊り元柱１の突出部４１に取り付けられたヒンジ金具５５と、吊り元側端枠７に取り付けられたヒンジ金具５６と、この両ヒンジ金具５５，５６を縦軸心廻りに回動自在に連結する縦軸５７とを有する。
【００２７】
伸縮門扉を交換する場合には、吊り元柱１側及び戸当たり柱２側とも、既存の柱１２に新規の柱１３を取り付けてその改装を行う。この吊り元柱１側及び戸当たり柱２側の改装に際しては、先ず既存の柱１２が鉛直状態か否かを確認し、略鉛直状態であれば、図７に示すように既存の柱１２の間口側のレール取り付け面１６に一対の取り付けレール１４を上下方向に取り付ける。
【００２８】
この場合、既存の柱１２のレール取り付け面１６側に予め各取り付けレール１４用の取り付け孔２３を形成しておき、その取り付け孔２３にターンナット２１を挿入する。そして、一対の取り付けレール１４をレール取り付け面１６側に当接した後、図６（Ｂ）に示すように取り付けレール１４の取り付け孔２７にネジ２２を挿入して軸部２５廻りにナット体２６を略９０度回転させ、そのネジ２２をナット体２６の雌ネジ孔２８に螺合して図６（Ｃ）に示すように締め付ける。これにより一対の取り付けレール１４を上下２箇所の固定手段２０で既存の柱１２のレール取り付け面１６に固定することができる。なお、各取り付けレール１４はその取り付け部１８の端縁が当接又は近接した状態で略鉛直に固定する。
【００２９】
一方、既存の柱１２が長すぎる場合には、新規の柱１３に合わせて既存の柱１２の上端側を適宜長さに切断しておく。なお、地面Ｇが傾斜している場合には、前パネル３３、後パネル３４の下端をその傾斜に合わせて斜めに切断すればよい。
【００３０】
次に前パネル３３側に各取り付けレール１４のレール部１７に対応する間隔で係合体１５を仮止めしておき、その各係合体１５を図８に示すように各取り付けレール１４のレール部１７の上端に合わせて挿入し、各係合体１５を各取り付けレール１４のレール部１７に沿って上側から下方へと摺動させながら、各取り付けレール１４に沿って前パネル３３を下降させる。そして、下端が地面Ｇに接地する等、前パネル３３が所定の高さまで下降すれば、ネジ４０を締め付けて係合体１５を取り付けレール１４のレール部１７内に固定する。これにより既存の柱１２に間口側から外嵌した状態の前パネル３３を、取り付けレール１４及び係合体１５を介して既存の柱１２に固定できる。
【００３１】
続いて図９に示すように後パネル３４の両端側の後屈曲部３６を前パネル３３の前屈曲部３５の外側に重合させながら、後パネル３４を前パネル３３と反対側から既存の柱１２に当接させて、前パネル３３及び後パネル３４の上端を揃えた状態で、図１０に示すように後パネル３４の後屈曲部３６から前パネル３３の前屈曲部３５へとネジ３７を挿通して後パネル３４を前パネル３３に固定する。その後、前パネル３３の上端に前上部カバー４２をネジ４３により取り付け、続いて前上部カバー４２の一部を覆うように後パネル３４の上端に後上部カバー４６をネジ４７，４８により取り付ける。
【００３２】
これで前パネル３３、後パネル３４及び上部カバー４２，４６を含む新規の柱１３により既存の柱１２が完全に覆われた状態となり、吊り元柱１及び戸当たり柱２を改装できる。特に既存の柱１２に上下方向の取り付けレール１４を取り付けておき、その取り付けレール１４に沿って係合体１５を上方から摺動させながら、新規の柱１３を既存の柱１２に取り付けて行くことができるので、既存の柱１２に対する新規の柱１３の取り付けが非常に容易であり、吊り元柱１及び戸当たり柱２を容易に改装することができる。
【００３３】
また係合体１５を前パネル３３に仮止めした状態で取り付けレール１４のレール部１７に挿入し、その後に係合体１５を前パネル３３側にネジ４０で締め付けて前パネル３３を取り付けレール１４に固定するため、係合体１５を取り付けレール１４に挿入した後の前パネル３３の固定も容易に行うことができる。
【００３４】
しかも、係合体１５には係合ナット３９を使用しており、この係合ナット３９に螺合するネジ４０を締め付けたときに、前パネル３３が各取り付けレール１４のレール部１７に当接するため、各取り付けレール１４により前パネル３３の間口に対応する部分を内側から補強することができる。
【００３５】
更に前パネル３３の間口に対応する部分には上下方向の突出部４１が一対あり、伸縮扉体３の開閉等に際して衝撃等が加わり易いが、その一対の突出部４１の内側近傍に各取り付けレール１４のレール部１７があるため、前パネル３３の変形等を極力防止することができる。
【００３６】
またレール部１７を既存の柱１２の間口内外方向の外側にし、取り付け部１８をその中央側にして、一対の取り付けレール１４を既存の柱１２に対して略対称に配置しているため、既存の柱１２と新規の柱１３との間口内外方向の中心を一致させることができる。
【００３７】
図１１は本発明の第２の実施例を例示する。既存の柱１２が傾斜している場合には、図１１（Ａ）（Ｂ）に示すように改装する。即ち、既存の柱１２が間口側に倒れている場合には、取り付けレール１４の上下の取り付け部位の内、その一方に既存の柱１２の傾斜量に応じた寸法、枚数の平座金、その他のスペーサ３２を介在して、一対の取り付けレール１４を略鉛直にする。
【００３８】
例えば、既存の柱１２が右側に傾斜している場合には、図１１（Ａ）（Ｂ）に示すように既存の柱１２のレール取り付け面１６と取り付けレール１４との間の下側の取り付け位置に、既存の柱１２の傾斜量に見合うスペーサ３２を介在して、上側の取り付け位置を基準に取り付けレール１４を適正角度の鉛直状態に調整する。この場合、既存の柱１２のレール取り付け面１６にターンナット２１を取り付け、このターンナット２１と取り付けレール１４の取り付け部１８との間に、ネジ２２に套嵌されたスペーサ３２を介在すればよい。従って、既存の柱１２が傾斜している場合でも、その既存の柱１２を利用して新規の柱１３を取り付けることができる。
【００３９】
図１２は本発明の第３の実施例を例示する。既存の柱１２が屈曲又は湾曲している場合には、図１２（Ａ）（Ｂ）に示すように改装する。例えば、上下方向の中間部が出口側に突出するように既存の柱１２が屈曲又は湾曲している場合には、取り付けレール１４の上下の各取り付け位置に、既存の柱１２の屈曲又は湾曲量に応じた寸法、枚数の平座金、その他のスペーサ３２を介在して、既存の柱１２に一対の取り付けレール１４を略鉛直状に取り付ける。従って、既存の柱１２が屈曲又は湾曲している場合でも、その既存の柱１２を利用して新規の柱を取り付けることができる。
【００４０】
図１３は本発明の第４の実施例を例示し、既存の柱１２の種類とそれに対する取り付けレール１４の配置形態を示す。改装の対象となる既存の柱１２には、図１３（Ａ）〜（Ｄ）に示すように種々の形状、寸法、構造のものがあるが、取り付け部１８とレール部１７とが幅方向に偏心している取り付けレール１４を使用することにより、多種類の既存の柱１２の改装にも容易に対応することができる。従って、既存の柱１２を取り囲み得る大きさの新規の柱１３であれば、既存の柱１２側の取り付け幅等の制約を受けることなく他種類の既存の柱１２の改装にも容易に即応できる。
【００４１】
なお、この実施例では、一対の取り付けレール１４は、そのレール部１７と取り付け部１８とが逆向きに配置されており、既存の柱１２の幅方向の中心に対して略対称になっている。
【００４２】
即ち、図１３（Ａ）及び（Ｂ）に示すように、既存の柱１２の幅方向の両側がレール取り付け面１６となる場合には、レール部１７を既存の柱１２の幅方向の中央側として、その一対の取り付けレール１４のレール部１７間が所定の間隔となるように、各取り付けレール１４を既存の柱１２の各レール取り付け面１６に取り付ける。
【００４３】
また図１３（Ｃ）に示すように、既存の柱１２の幅方向の寸法が小さいが、その間口側の全面をレール取り付け面１６として利用できる場合には、一対の取り付けレール１４の取り付け部１８間に幅方向に所定の間隔を置いて、レール部１７が既存の柱１２の幅方向の外側となるように取り付けレール１４を取り付ける。
【００４４】
更に図１３（Ｄ）に示すように、複数個の柱部材５９を結合して構成された大型等の既存の柱１２の場合には、レール部１７を既存の柱１２の幅方向の内側にして、既存の柱１２の間口側の２本の柱部材５９に取り付けレール１４を取り付ける。勿論、このような構造の既存の柱１２の場合にも、その幅の寸法が小さいときには、レール部１７を幅方向の外側にして取り付けレール１４を取り付けてもよい。
【００４５】
図１４は本発明の第５の実施例を例示し、塀、その他の障害物６０の近傍にある既存の柱１２を利用して、伸縮扉体３を障害物６０に対して略直角方向に配置する場合を示す。図１４（Ａ）又は（Ｂ）に示すようにすれば、既存の柱１２の背後に障害物６０が近接する場合にも、その障害物６０に関係なく容易に改装することができる。
【００４６】
この場合に前パネル３３は、一対の取り付けレール１４を同一向きに配置して、その一対の取り付けレール１４を介して既存の柱１２に取り付ける。一方、後パネル３４は既存の柱１２に当接させた後、その後屈曲部３６を前パネル３３の前屈曲部３５と重合させてネジ３７により固定する。
【００４７】
これによって既存の柱１２の背後に障害物６０が近接する場合でも、既存の柱１２をそのまま利用して吊り元柱１及び戸当たり柱２を改装することが可能である。なお、図１４（Ｂ）では、取り付け部１８の外側にレール部１７があり、そのレール部１７の内側近傍に前パネル３３の突出部４１が配置されている。
【００４８】
図１５は本発明の第６の実施例を例示し、塀等の障害物６０の近傍にある既存の柱１２を利用して、伸縮扉体３を障害物６０に対して略平行に配置する場合を示す。図１５（Ａ）又は（Ｂ）に示すようにすれば、既存の柱１２の幅方向の一側近傍に障害物６０がある場合にも、その障害物６０に関係なく容易に改装することができる。
【００４９】
即ち、改装の対象となる既存の柱１２の幅方向の一側に障害物６０が近接しており、障害物６０と既存の柱１２との間隔が極僅かの場合には、新規の柱１３の幅方向の寸法によっては、一対の取り付けレール１４を既存の柱１２に略対称に配置して、既存の柱１２と新規の柱１３との幅方向の中心を間口内外方向に一致させることはできない。
【００５０】
そこで、図１５（Ａ）又は（Ｂ）に示すように取り付け部１８が障害物６０の近くとなり、レール部１７が障害物６０から遠くとなるように、一対の取り付けレール１４を同一方向に向けた状態で既存の柱１２に対して非対称に配置する。
【００５１】
一方、前パネル３３、後パネル３４の一方の屈曲部３５，３６が障害物６０と既存の柱１２との間で重合する範囲内で、前パネル３３に対する係合体１５の位置を障害物６０側に配置し、その係合体１５を各取り付けレール１４のレール部１７に上側から挿入する。そして、障害物６０と反対側では後パネル３４の後屈曲部３６を前パネル３３の前屈曲部３５に重合させてネジ３７で固定し、既存の柱１２に当接する後パネル３４の障害物６０に近い側をネジ３７ａで既存の柱１２に固定する。
【００５２】
このようにすれば、各取り付けレール１４を同一向きに配置することによって、その取り付けレール１４を使用しながら、障害物６０の近傍にある既存の柱１２の改装も可能になる。また既存の柱１２と新規の柱１３との幅方向の中心を一致させる必要がないため、新規の柱１３の幅方向の寸法が制限されるようなこともない。
【００５３】
しかも図１５（Ａ）の場合には一対の突出部４１間に各取り付けレール１４のレール部１７、係合体１５等があり、図１５（Ｂ）の場合には各突出部４１の障害物６０側の近傍に取り付けレール１４のレール部１７、係合体１５等があるため、既存の柱１２と新規の柱１３との幅方向の中心がずれているにも拘わらず、改装後の強度に問題が生じるようなこともない。
【００５４】
図１６は本発明の第７の実施例を例示し、前パネル３３の前屈曲部３５と後パネル３４の後屈曲部３６との重合部分に改良を加えたものである。前パネル３３の前屈曲部３５と後パネル３４の後屈曲部３６は、図１６（Ａ）に示すように凹凸部６２，６３同士の噛み合い、又は図１６（Ｂ）に示すように凹溝部６４と凸条部６５との係合式の噛み合いを介して接合してもよいし、図１６（Ｃ）に示すように接合板６６の凹溝部６４と各屈曲部３５，３６の凸条部６５との係合式の噛み合いを介して接合してもよい。
【００５５】
即ち、図１６（Ａ）の場合には各屈曲部３５，３６に三角形、その他の断面形状を有する多数の凹凸部６２，６３が上下方向に筋状に設けられ、ネジ３７により両屈曲部３５，３６を締め付けたときに、その凹凸部６２，６３同士が噛み合うようになっている。
【００５６】
また図１６（Ｂ）の場合には後パネル３４の後屈曲部３６に間口方向に所定の間隔を置いて複数個の凹溝部６４が、前パネル３３の前屈曲部３５の後パネル３４側の端縁に凸条部６５が夫々上下方向に形成され、その凸条部６５が何れかの凹溝部６４に噛み合うようになっている。なお、後屈曲部３６は平板端縁部３６ａを有し、その平板端縁部３６ａが前屈曲部３５にネジ３７で固定されている。
【００５７】
更に図１６（Ｃ）の場合には、前屈曲部３５と後屈曲部３６とに接続板６６が重合され、接続板６６に間口方向に所定の間隔を置いて複数個の凹溝部６４が、各屈曲部３５，３６の対向端縁に凸条部６５が夫々上下方向に形成され、その凸条部６５が何れかの凹溝部６４に噛み合うようになっている。なお、接続板６６は両側に平板端縁部６６ａを有し、その平板端縁部６６ａが各屈曲部３５，３６にネジ３７で固定されている。
【００５８】
このように各屈曲部３５，３６は、直接又は間接的に噛み合い構造を介して接合してもよく、これにより接合部分の隙間の発生等を極力防止できる。なお、凹溝部６４、凸条部６５は逆でもよい。
【００５９】
以上、本発明の各実施例について詳述したが、本発明は各実施例に限定されるものではなく、その他種々の態様で実施することができる。例えば、各実施例では、伸縮門扉の吊り元柱１、戸当たり柱２の改装について例示しているが、本発明は伸縮門扉以外の各種の門扉の柱の改装、間口の左右両側に立設された単なる門柱の改装等、各種の門柱ないしはエクステリア用構造体の支柱等の柱の改装にも応用することが可能である。
【００６０】
また既存の柱１２に取り付けレール１４、係合体１５を介して新規の柱１３を取り付けるが、その既存の柱１２と新規の柱１３との一方に取り付けレール１４を、他方に係合体１５を夫々設ければよく、必ずしも取り付けレール１４が既存の柱１２側である必要はない。
【００６１】
取り付け部１８とレール部１７とが幅方向に偏心する取り付けレール１４を幅方向に２個配置するに当たっては、その２個の取り付けレール１４の向き、間隔等を変更することにより、各種の寸法、形状、周辺条件等に応じて最適な状態での改装が可能になる。また取り付けレール１４は、取り付け部１８とレール部１７とが幅方向に偏心するものであれば、レール部１７の幅内に取り付け部１８があるものでもよい。取り付けレール１４の上下方向の取り付け位置は、上下両端側の他、その中間部を設ける等、３箇所以上で取り付けるようにしてもよい。
【００６２】
係合体１５も取り付けレール１４又はそのレール部１７との相対的関係で決まるものであり、各実施例の構造に限定されるものではない。係合体１５はそれを締め付けることによって、新規の柱１３を取り付けレール１４を介して既存の柱１２に固定できるのが望ましいが、新規の柱１３を既存の柱１２に套嵌した後、その新規の柱１３をネジ等で既存の柱１２に固定するようにしてもよい。
【００６３】
既存の柱１２は、取り付けレール１４又は係合体１５を有するもの、取り付けレール１４又は係合体１５を取り付け可能なものであれば十分であり、その形状、構造等は問題ではない。また新規の柱１３は前パネル３３、後パネル３４等のように複数個のパネルに分割されたものでもよいし、角筒、その他の筒状でもよい。前パネル３３、後パネル３４の屈曲部３５，３６は内外逆に重合させてもよい。多くの場合に略鉛直が適正角度となるが、適正角度は略鉛直以外でもよい。
【図面の簡単な説明】
【００６４】
【図１】（Ａ）は本発明の第１の実施例を示す伸縮門扉の一部破断正面図、（Ｂ）はその一部破断平面図である。
【図２】本発明の第１の実施例を示す門柱改装構造の一部破断平面図である。
【図３】（Ａ）は本発明の第１の実施例を示す戸当たり柱の一部破断正面図、（Ｂ）はその平面図である。
【図４】本発明の第１の実施例を示す門柱改装構造の拡大縦断面図である。
【図５】本発明の第１の実施例を示す既存の柱、取り付けレールの斜視図である。
【図６】（Ａ）は本発明の第１の実施例を示す固定手段の分解斜視図、（Ｂ）は固定途中を示す断面図、（Ｃ）は固定状態を示す固定手段の断面図である。
【図７】本発明の第１の実施例を示すレール取り付け過程の斜視図である。
【図８】本発明の第１の実施例を示す前パネルの取り付け過程の斜視図である。
【図９】本発明の第１の実施例を示す後パネルの取り付け過程の斜視図である。
【図１０】本発明の第１の実施例を示す上部カバー取り付け過程の斜視図である。
【図１１】（Ａ）は本発明の第２の実施例を示す戸当たり柱の一部破断正面図、（Ｂ）はその平面断面図である。
【図１２】（Ａ）は本発明の第３の実施例を示す戸当たり柱の一部破断正面図、（Ｂ）はその平面断面図である。
【図１３】（Ａ）〜（Ｄ）は本発明の第４の実施例を示す既存の柱と取り付けレールとの平面断面図である。
【図１４】（Ａ）（Ｂ）は本発明の第５の実施例を示す施工状態の平面断面図である。
【図１５】（Ａ）（Ｂ）は本発明の第６の実施例を示す施工状態の平面断面図である。
【図１６】（Ａ）〜（Ｃ）は本発明の第７の実施例を示す門柱改装構造の拡大縦断面図である。
【符号の説明】
【００６５】
１２  既存の柱
１３  新規の柱
１７  レール部
１８  取り付け部
１４  取り付けレール
１５  係合体
３３  前パネル
３４  後パネル
【図１】
0004832120.tif 000002
【図２】
0004832120.tif 000003
【図３】
0004832120.tif 000004
【図４】
0004832120.tif 000005
【図５】
0004832120.tif 000006
【図６】
0004832120.tif 000007
【図７】
0004832120.tif 000008
【図８】
0004832120.tif 000009
【図９】
0004832120.tif 000010
【図１０】
0004832120.tif 000011
【図１１】
0004832120.tif 000012
【図１２】
0004832120.tif 000013
【図１３】
0004832120.tif 000014
【図１４】
0004832120.tif 000015
【図１５】
0004832120.tif 000016
【図１６】
0004832120.tif 000017